(57)【要約】内側パイプ４を囲む外側筐体６と、実質的に内側パイプ４の内部に位置し、少なくとも１つの電気コネクタピン１４、１４｀と電気的に接続された発熱体１２とからなる電子たばこ用アトマイザ２であって、締結スリーブ１６により発熱体１２と少なくとも１つの電気コネクタピンと１４、１４｀を互いに安全に接触させている電子たばこ用アトマイザ。【選択図】図１
2016539773.tif 000002
【特許請求の範囲】
【請求項１】
内側パイプを囲む外側筐体と、
実質的に前記内側パイプの内部に位置し、少なくとも１つの電気コネクタピンと電気的に接続された発熱体とからなる電子たばこ用アトマイザであって、
締結スリーブにより前記発熱体と前記少なくとも１つの電気コネクタピンとを互いに確実に接触させている電子たばこ用アトマイザ。
【請求項２】
前記締結スリーブは弾力のある材料により形成されている請求項１に記載の電子たばこ用アトマイザ。
【請求項３】
前記弾力のある材料はシリコーンからなる請求項２に記載の電子たばこ用アトマイザ。
【請求項４】
前記電気的な接続は、前記発熱体の少なくとも１つの導電面が、前記少なくとも１つの電気コネクタピンの対応する導電面に接触することにより構成される請求項１乃至３のいずれか１項に記載の電子たばこ用アトマイザ。
【請求項５】
前記発熱体は、両方の端部がそれぞれの前記電気コネクタピンに接続されている発熱ワイヤから構成されている請求項１乃至４のいずれか１項に記載の電子たばこ用アトマイザ。
【請求項６】
前記外側筐体は、前記内側パイプと前記発熱ワイヤを囲む本体部と、前記本体部から突き出る延長部とから構成されている請求項１乃至５のいずれか１項に記載の電子たばこ用アトマイザ。
【請求項７】
前記延長部は、前記電子たばこ用アトマイザと電子たばこの追加部品とを接続する接続手段を構成している請求項６に記載の電子たばこ用アトマイザ。
【請求項８】
前記電子たばこの追加部品内にある少なくとも１つの電気接続部を経由して、前記少なくとも１つの電気コネクタピンが前記電子たばこの追加部品と電気的に接続できるように、前記少なくとも１つの電気コネクタピンは、前記電子たばこ用アトマイザの前記本体部から前記延長部の中に延びている請求項７に記載の電子たばこ用アトマイザ。
【請求項９】
前記電子たばこの追加部品にある前記少なくとも１つの電気接続部に対して、前記少なくとも１つの電気コネクタピンが正しく並ぶことを確実にするように、前記締結スリーブが構成されている請求項８に記載の電子たばこ用アトマイザ。
【請求項１０】
前記締結スリーブは、概ね楕円形の断面形状をしており、前記電子たばこ用アトマイザの前記外側筐体内に、第１の向きまたは第２の向きのいずれかで位置決めされている請求項９に記載の電子たばこ用アトマイザ。
【請求項１１】
前記少なくとも１つの電気コネクタピンは、前記締結スリーブの前記向きとは無関係に、前記電子たばこの追加部品にある電気接続部に対して正しく並べられている請求項１０に記載の電子たばこ用アトマイザ。
【請求項１２】
前記電子たばこ用アトマイザ内に、液体吸収材をさらに備えている請求項１乃至１１のいずれか１項に記載の電子たばこ用アトマイザ。
【請求項１３】
前記外側筐体は、プラスチック材料よりなる請求項１乃至１２のいずれか１項に記載の電子たばこ用アトマイザ。
【請求項１４】
プラグとソケットの接続手段により、前記電子たばこ用アトマイザは、前記電子たばこの追加部品と着脱可能に接続されている請求項１乃至１３のいずれか１項に記載の電子たばこ用アトマイザ。
【請求項１５】
外面にカバーを備えたマウスピースを、さらに備えた請求項１乃至１４のいずれか１項に記載の電子たばこ用アトマイザ。
【請求項１６】
プラグとソケットの接続手段により、電子たばこの追加部品と着脱可能に接続されている電子たばこ用アトマイザ。
【請求項１７】
プラグとソケットの接続を用いて、前記電子たばこ用アトマイザが前記電子たばこの追加部品と電気的に接続されている請求項１６に記載の電子たばこ用アトマイザ。
【請求項１８】
本体部と前記本体部の一部から突き出る延長部とを備え、前記電子たばこ用アトマイザを前記電子たばこの追加部品と接続させる着脱可能な接続手段を備えている請求項１６または１７に記載の電子たばこ用アトマイザ。
【請求項１９】
電気コネクタピンが前記電子たばこの追加部品と電気的に接続できるように、前記電気コネクタピンは、前記電子たばこ用アトマイザの前記本体部から前記延長部の中に延びている請求項１７に従属した請求項１８に記載の電子たばこ用アトマイザ。
【請求項２０】
前記電子たばこの追加部品の凹部または開口部の中に位置させて前記プラグとソケットの接続を形成するように、前記電子たばこ用アトマイザの一部の寸法が定められている請求項１６乃至１９のいずれか１項に記載の電子たばこ用アトマイザ。
【請求項２１】
前記電子たばこの追加部品の一部を中に位置させて前記プラグとソケットの接続を形成する凹部を備えている請求項１６乃至１９のいずれか１項に記載の電子たばこ用アトマイザ。
【請求項２２】
前記電子たばこの追加部品は、電源装置を備えている請求項１６乃至２１のいずれか１項に記載の電子たばこ用アトマイザ。
【請求項２３】
外面にカバーを備えたマウスピースを、さらに備えた請求項１６乃至２２のいずれか１項に記載の電子たばこ用アトマイザ。
【請求項２４】
外側筐体の中に位置するか、または前記外側筐体に接続されて、使用時に電子たばこ用アトマイザ内で生じた蒸気をマウスピースを通じて排出させるように操作が可能な前記マウスピースを備えた前記外側筐体を備えており、
前記マウスピースは弾力のある材料からなる電子たばこ。
【請求項２５】
請求項１乃至２３のいずれか１項に記載の電子たばこ用アトマイザと、
電力供給手段と、前記電力供給手段に電気的に接続される少なくとも１つの電気コネクタプローブとを備えた電源部品とからなる請求項２４に記載の電子たばこ。
【請求項２６】
前記電子たばこ用アトマイザと前記電源部品とが、プラグとソケットの接続手段により着脱可能に接続されている請求項２５に記載の電子たばこ。
【請求項２７】
前記電子たばこ用アトマイザと前記電源部品とが、プラグとソケットの接続を用いて電気的に接続されている請求項２６に記載の電子たばこ。
【請求項２８】
前記電子たばこ用アトマイザと前記電源部品との間の電気的接続は、前記電子たばこ用アトマイザ内の電気コネクタピンを前記電源部品内の電気コネクタピンに電気的に接続することにより構成されている請求項２７に記載の電子たばこ。
【請求項２９】
プリント回路基板により制御され、前記電源部品から電力を供給され、前記電子たばこの稼働状況を示すように動作可能なＬＥＤをさらに備えた請求項２５乃至２８のいずれか１項に記載の電子たばこ。
【請求項３０】
添付の図面を参照して、この明細書の中で実質的に記述されている電子たばこ用アトマイザ、電源部品、または電子たばこ。
【発明の詳細な説明】
【技術分野】
【０００１】
本発明は、電子たばこに関し、より詳しくは、電子たばこに用いるアトマイザ（atomizer）に関する。
【背景技術】
【０００２】
電子たばこに用いるアトマイザは、一般的には、電流がワイヤを流れる際に電気抵抗により発熱する発熱ワイヤ（heating wire）を備えている。従来技術のアトマイザにおいては、発熱ワイヤは電源装置と直接接続するか、中間（intermediary）の電気コネクタを介して電源装置と接続されている。一般的には、発熱ワイヤと電源装置／電気コネクタは、はんだ付けにより接続されている。このような接続が破壊されると、電子たばこの誤作動の原因となるだけではなく、使用者にはんだを誤って吸入させてしまうことが知られている。
【０００３】
従来、アトマイザ部品と電源部品とで構成され、着脱可能に接続された電子たばこが提供されている。このタイプの電子たばこは、アトマイザまたは実際には電源部品を交換することが許容されている。これは、使用者がアトマイザ内の液体を使い果たしたとき、電力が失われたとき、各部品が故障しているときに必要である。従来は、アトマイザ部品と電源部品は、スクリューフィット（screw fit）接続手段により、着脱可能に接続されている。このタイプの接続の不利益は、締め付け過ぎることで損傷ができたり、徐々に摩耗していくため安全ではない接続となってしまうことである。
【発明の概要】
【発明が解決しようとする課題】
【０００４】
したがって、はんだ付けをした電気接続を含まない電子たばこを提供することは有益である。
【０００５】
したがって、容易に接続／取り外し可能であり、寿命が延長された、アトマイザと電源部品の着脱可能な接続を備えた電子たばこを提供することは有益である。
【０００６】
本発明の目的は、上述の従来技術の問題の少なくとも１つを克服または軽減するためのものである。
【課題を解決するための手段】
【０００７】
本発明の第１の形態においては、内側パイプを囲む外側筐体と、実質的に内側パイプの内部に位置し、少なくとも１つの電気コネクタピンと電気的に接続された発熱体（heating element）とからなる電子たばこ用アトマイザであって、締結スリーブ（fastening sleeve）により発熱体と少なくとも１つの電気コネクタピンとを互いに確実に接触させている電子たばこ用アトマイザを提供する。
【０００８】
締結スリーブは弾力のある材料（resilient material）である高分子材料（polymeric material）で形成されていてもよい。ある実施例では、締結スリーブは、例えばシリコーン（silicone）、ラテックス（latex）または合成ゴム（synthetic rubber）のような弾力のある高分子材料で構成される。ある実施例では、締結スリーブは、少なくとも１つの電気コネクタピンと発熱体との接触を促す弾力のある材料で構成されている。
【０００９】
ある実施例では、電気的な接続（electrical connection）は、発熱体の少なくとも１つの導電面（conductive surface）が、少なくとも１つの電気コネクタピンの対応する導電面に接触することにより形成されている。他の実施例では、発熱体と電気コネクタピンとの間に中間の電気接続手段（intermediary electrical connection means）が用いられている。
【００１０】
ある実施例では、発熱体は発熱ワイヤで構成されている。このような実施例では、発熱ワイヤの両方の端部がそれぞれの電気コネクタピンに接続されている。
【００１１】
外側筐体は、内側パイプと発熱ワイヤを囲む本体部と、本体部の一端から突き出る延長端部とから構成されていてもよい。このような実施例では、延長部は、電子たばこ用アトマイザと電子たばこの追加部品とを接続する接続手段を構成していてもよい。ある実施例では、電子たばこ用アトマイザと電子たばこの追加部品との接続は、両者の電気的接続を形成している。ある実施例では、追加部品内にある少なくとも１つの電気接続部を経由して、少なくとも１つの電気コネクタピンが電子たばこの追加部品と電気的に接続できるように、少なくとも１つの電気コネクタピンは、電子たばこ用アトマイザの本体部から延長部の中に延びている。
【００１２】
ある実施例では、電子たばこの追加部品にある少なくとも１つの電気接続部に対して、少なくとも１つの電気コネクタピンが正しく並ぶことを確実にするように、締結スリーブが構成されている。ある実施例では、締結スリーブは、概ね楕円形の断面形状をしており、電子たばこ用アトマイザの外側筐体内に、第１の向きまたは第２の向きのいずれかで位置決めされている。１組の電気コネクタピンを備えてた実施例においては、追加部品の第１の電気接続部に接続するように第１の電気コネクタピンが並べられ、追加部品の第２の電気接続部に接続するように第２の電気コネクタピンが並べられるように、第１の向きを対応させてもよい。追加部品の第２の電気接続部に接続するように第１の電気コネクタピンが並べられ、追加部品の第１の電気接続部に接続するように第２の電気コネクタピンが並べられるように、第２の向きを対応させてもよい。ある実施例では、締結スリーブの向きとは無関係に、少なくとも１つの電気コネクタピンが、電子たばこの追加部品にある電気接続部に対して正しく並べられていることを確かにすることにより、電子たばこ用アトマイザが不正に取り付けられることを防いでいる。
【００１３】
外側筐体もまた楕円形の断面形状をしており、追加部品も楕円形の断面形状をしている。このような形状は、例えば、締結スリーブが第１または第２の構成のいずれかであるときに、少なくとも１つの電気コネクタピンが正しく並ぶのを許容すると同時に、筐体と追加部品を効果的に結合させる。
【００１４】
電子たばこの追加部品は、例えば電池のような電力供給手段を備えていてもよい。例えば、電池は使い捨てでもよいし、充電式電池でもよい。
【００１５】
ある実施例では、電子たばこ用アトマイザは、電子たばこ用アトマイザ内に、液体吸収材（liquid absorbent material）をさらに備えていてもよい。ある実施例では、液体吸収材は、電子たばこ用アトマイザの内側パイプの外表面上に配置されている。
【００１６】
液体吸収材は、例えば、充填材（filler material）でもよい。ある実施例では、液体吸収材は、繊維で構成されている。繊維は綿でもよく、ある実施例では、繊維は、たばこ用綿（tobacco cotton）、脱脂綿（cotton wool）、綿のガーゼ（cotton gauze）またはこれらの組み合わせでもよい。
【００１７】
さらにこの実施例では、発熱体を構成する発熱ワイヤは、ウィック（wick）に巻き付けられている。ウィックは液体吸収材に接続され、液体吸収材から発熱ワイヤに向かって液体を引き込むことができる。
【００１８】
電子たばこ用アトマイザの外側筐体は、例えば、高分子材料、金属、合金といった適切な固い材料で形成されていてもよい。ある実施例では、電子たばこ用アトマイザの外側筐体は、例えば、ポリプロピレン（polypropylene）といったプラスチック材料で形成されていてもよい。
【００１９】
ある実施例では、電子たばこ用アトマイザは、電子たばこの追加部品と着脱可能に接続されていてもよい。着脱可能な接続は、例えば、プラグとソケットの接続（plug and socket connection）により構成されていてもよい。
【００２０】
さらに、電子たばこ用アトマイザは、使用者が吸入するために、使用時にアトマイザ内で生じた蒸気をマウスピースを通じて排出させるように操作が可能なマウスピースを備えていてもよい。ある実施例では、マウスピースは、マウスピースの外面にカバーを備えている。
【００２１】
ある実施例では、電子たばこ用アトマイザはドリップチップアトマイザ（drip tip atomizer）でもよい。このような実施例のドリップチップアトマイザは、使用者が溶液（liquid solution）をアトマイザ内に滴らせることができるように構成されている。このような実施例のドリップチップアトマイザは、アトマイザの発熱ワイヤの上に溶液を直接滴らせる。
【００２２】
他の実施例では、電子たばこ用アトマイザは、上述のアトマイザとカートリッジで構成されたカトマイザ（cartomizer）でもよい。このカートリッジは、溶液の容器を構成していてもよい。このような実施例では、発熱体の操作によって、溶液が加熱され、蒸発されるように構成されている。
【００２３】
本発明の第２の形態においては、プラグとソケットの接続手段により、電子たばこの追加部品と着脱可能に接続されている電子たばこ用アトマイザを提供する。
【００２４】
プラグとソケットの接続を用いて、電子たばこ用アトマイザが追加部品と電気的に接続されていてもよい。
【００２５】
電子たばこ用アトマイザは、本体部と本体部の一部から突き出る延長部とを備えていてもよい。このような実施例では、延長部は、電子たばこ用アトマイザを電子たばこの追加部品と接続させる着脱可能な接続手段を備えていてもよい。
【００２６】
電子たばこ用アトマイザと電子たばこの追加部品との接続が、両者の電気的接続を形成する実施例においては、電気コネクタピンが電子たばこの追加部品と電気的に接続できるように、電気コネクタピンは、電子たばこ用アトマイザの本体部から延長部の中に延びている。
【００２７】
ある実施例では、電子たばこの追加部品の凹部または開口部の中に位置させてプラグとソケットの接続を形成するように、電子たばこ用アトマイザの一部の寸法が定められている。他の実施例では、電子たばこ用アトマイザは、電子たばこの追加部品の一部を中に位置させてプラグとソケットの接続を形成する凹部を備えている。
【００２８】
電子たばこの追加部品は、例えば電池のような電力供給手段を備えていてもよい。例えば、電池は使い捨てでもよいし、充電式電池でもよい。
【００２９】
ある実施例では、電子たばこ用アトマイザは、電子たばこ用アトマイザ内で締結スリーブにより互いに安全に接触させられている電子部品を備えていてもよい。
【００３０】
ある実施例では、電子たばこ用アトマイザは、外面にカバーを備えたマウスピースを備えている。
【００３１】
この電子たばこ用アトマイザは、本発明の第１の形態と合致したアトマイザを備えていてもよい。
【００３２】
本発明の第３の形態においては、外側筐体の中に位置するか、または外側筐体に接続されて、使用時にアトマイザ内で生じた蒸気をマウスピースを通じて排出させるように操作が可能なマウスピースを備えた外側筐体を備えており、マウスピースは弾力のある材料からなる電子たばこを提供する。
【００３３】
マウスピースは、筐体の外表面に接続するか、または外表面を覆うまたは包むように形成されていてもよく、また、マウスピースはカバーを備えていてもよい。
【００３４】
ある実施例では、マウスピースは、アトマイザから蒸気を排出させることができる開口部を備えていてもよい。ある実施例では、アトマイザはドリップチップアトマイザでもよく、使用者が開口部を通してアトマイザ内に液体を滴らせることができるようにマウスピースを構成してもよい。
【００３５】
ある実施例では、カバーは、アトマイザから蒸気を排出させることができる開口部を備えていており、また、使用者がその開口部を通してアトマイザ内に液体を滴らせることができるようにカバーを構成してもよい。このような実施例では、カバーは取り外せないように、マウスピースの外表面と接続させてもよい。
【００３６】
他の実施例では、カバーはマウスピースの外表面から取り外しが可能である。このような実施例では、マウスピースの開口部を利用可能にするために、カバーをマウスピースの外表面から取り外してもよい。
【００３７】
マウスピースは、例えば、シリコーン、天然ラテックスまたは合成ラテックス、天然ゴムまたは合成ゴム、または同様のもので形成されている。
【００３８】
ある実施例では、電子たばこは、アトマイザ内で締結スリーブにより互いに確実に接触させられている電子部品を備えていてもよい。
【００３９】
ある実施例では、筐体は、プラグとソケットの接続手段により、電子たばこの追加部品と着脱可能に接続されていてもよい。
【００４０】
この電子たばこは、本発明の第１及び／または第２の形態と合致したアトマイザを備えていてもよい。
【００４１】
本発明の第４の形態においては、本発明の第１、第２及び／または第３の形態と合致したアトマイザと、電力供給手段と電力供給手段に電気的に接続される少なくとも１つの電気コネクタピンとを備えた電源部品とからなる電子たばこを提供する。
【００４２】
ある実施例では、アトマイザと電源部品とが、プラグとソケットの接続手段により着脱可能に接続されている。アトマイザと電源部品とが、プラグとソケットの接続を用いて電気的に接続されている。ある実施例では、アトマイザは発熱ワイヤを備えていて、この発熱ワイヤは、電源部品から電力が供給されてもよい。
【００４３】
ある実施例では、アトマイザと電源部品との間の電気的接続は、アトマイザ内の電気コネクタピンを電源部品内の電気コネクタピンに電気的に接続することにより構成されている。
【００４４】
ある実施例では、電源部品の電力供給手段は、電池で構成されている。このような実施例では、電池は、例えば、使い捨てでもよいし、リチウムイオン電池のような充電式電池でもよい。
【００４５】
電力供給手段を使い捨ての電池で構成した実施例においては、電池を交換できるようにするために、電源部品の中からの電池の取り出し及び取り外し手段も備えられている。
【００４６】
電力供給手段を充電式電池で構成した実施例においては、電源部品の中に入れたまま電池の充電ができるようにしてもよい。このような実施例においては、電源装置は、電池を充電するための充電装置への接続手段をさらに備えていてもよい。他の実施例では、充電式電池は電源部品の中から取り外しことができ、電源部品からは離れて充電される。
【００４７】
本発明の第３及び第４の形態の電子たばこにおいては、プリント回路基板により制御されるＬＥＤをさらに備えていてもよい。このような実施例では、ＬＥＤは電源部品から電力を供給されてもよい。ある実施例では、ＬＥＤは、電子たばこの稼働状況を示す用途で動作可能である。
【図面の簡単な説明】
【００４８】
【図１】本発明の電子たばこ用アトマイザの実施例の断面図である。
【図２】本発明の電子たばこ用の電源部品の実施例の断面図である。
【発明を実施するための形態】
【００４９】
本発明をより明確に理解させるために、ほんの一例として、添付の図面を参照しながら、以下で実施例を説明する。
【００５０】
図１は、本発明の第３及び第４の形態の電子たばこで用いられる、本発明の第１及び第２の形態のアトマイザを示したものである。アトマイザ２は、アトマイザパイプ６で形成された外側筐体の中にあり、接続されている耐熱パイプ４で形成された内側パイプを備えている。
【００５１】
アトマイザパイプ６は、略円筒形状であり、本体部８と延長端部１０とを備えている。延長端部１０の直径は、本体部８の直径よりもわずかに小さいサイズである。
【００５２】
耐熱パイプ４の中には、ウィック１３に巻き付けられている発熱ワイヤ１２が形成する発熱体が位置している。発熱ワイヤ１２の各端部は、電気コネクタピン１４、１４｀と電気的に接続されている。シリコーンスリーブ１６で形成された締結スリーブがアトマイザ２に中に備えられており、発熱ワイヤ１２と電気コネクタピン１４、１４｀の接触を維持させている。シリコーンスリーブ１６は、発熱ワイヤ１２と電気コネクタピン１４、１４｀をはんだ付けする必要性を取り除いたことにより、関連する不利益は取り除かれた。
【００５３】
コネクタピン１４、１４｀の発熱ワイヤ１２と接続する端部の反対側の端部は、本体部８の中からアトマイザパイプ６の延長端部１０の中に突き出ている。
【００５４】
図１に示した実施例では、たばこ用綿１８で形成された液体吸収材は、耐熱パイプ４の外表面に巻き付けられている。たばこ用綿１８の中から発熱ワイヤ１２に向かって液体を引き込めるように、たばこ用綿１８はウィック１３に接続されている。
【００５５】
延長端部１０の反対側のアトマイザパイプ６の端部には、マウスピース１９が備えられている。シリコーンで形成されたカバー２０は、マウスピース１９を覆っており、アトマイザパイプ６の中で生じた蒸気を排出するための開口部２２を備えている。
【００５６】
図示した実施例では、アトマイザパイプ６はポリプロピレンから形成されている。しかしながら、他のプラスチック材料、またはそれらの組み合わせを含む適切な材料からアトマイザパイプ６を形成してもよいことは、構想されている。
【００５７】
図２は、本発明の電子たばこの電源部品１００の実施例を示したものである。電源部品１００は、バッテリーコンジット（battery conduit）１０４の中に配置された電池１０２から形成された電力供給手段を備えている。
【００５８】
コンジット１０４の第１の端部において、電池１０２は、バッテリーソケット（battery socket）１０６を介して、第１のプリント回路基板１０８に接続されている。第１のプリント回路基板１０８は、電気コネクタピン１１０、１１０｀と接続しており、電気コネクタピン１１０、１１０｀への電力供給の制御することができる。電気コネクタピン１１０、１１０｀は、コンジット１０４の一方の端部の凹部１１２の中に配置し、そこにはまた、プラスチックスリーブ１１４も配置されている。
【００５９】
コンジット１０４の反対側の端部において、電池１０２は、シリコーンカップ１１８を介して、第２のプリント回路基板１１６と接続されている。第２のプリント回路基板１１６は、電子たばこの稼働状況を示すように動作可能なＬＥＤインジケータ１２０の動作を制御することが可能である。
【００６０】
図１及び図２を参照して、本発明の電子たばこの実施例を説明する。
【００６１】
図１に示すアトマイザ２と、図２に示す電源部品１００とが接続されることにより、電子たばこが形成される。アトマイザ２の延長端部１０が、電源部品１００のコンジット１０４の端部の凹部１１２の中に位置させることにより、これは成立する。アトマイザパイプ６の延長端部１０の外表面とプラスチックスリーブ１１４との摩擦接触により、アトマイザ２と電源部品１００とは、この位置で保持される。この構成では、電源部品１００の電気コネクタピン１１０、１１０｀が、アトマイザ２の電気コネクタピン１４、１４｀と接触して、アトマイザ２と電源部品１００との間の電気的接続を形成している。このようにして、発熱ワイヤ１２は電池１０２から電力が供給される。
【００６２】
上述の実施例は、ほんの一例を説明したものである。添付の特許請求の範囲で定義される発明の範囲から離れない、たくさんの変形例が可能である。
【図１】
2016539773.tif 000003
【図２】
2016539773.tif 000004
【国際調査報告】
2016539773.tif 000005
2016539773.tif 000006
2016539773.tif 000007
2016539773.tif 000008